(57)【要約】【課題】眼底撮影モードと前眼撮影モードの間の撮影モードの切替操作を簡便化することで、検者の負担を軽減させるとともに切替時間を短縮する。【解決手段】光を射出する光源と、光源からの光を測定光と参照光に分割する光分割器と、被検眼に対する測定光の合焦状態を変更する合焦部を有し、測定光を被検眼に投影する測定光学系と、測定光と参照光との干渉光に基づく干渉信号を用いて断層画像を生成する制御部とを備え、制御部は、撮影モードを、眼底を撮影する眼底撮影モードと前眼部を撮影する前眼撮影モードとで切り替えるモード切替部を含み、合焦部は、眼底撮影モードにおいて、所定の範囲内の屈折異常値を有する被検眼の眼底に測定光を合焦可能であり、前眼撮影モードでは、測定光の合焦状態を、眼底撮影モードにおいて所定の範囲内の所定の遠視側屈折異常値を有する被検眼の眼底に測定光を合焦させる場合の合焦状態にする、眼科光干渉断層撮影装置。【選択図】図１
2020168266.tif 000002
【特許請求の範囲】
【請求項１】
光を射出する光源と、
前記光源が出射した光を測定光と参照光に分割する光分割器と、
被検眼に対する前記測定光の合焦状態を変更する合焦部を有し、前記測定光を前記被検眼に投影する測定光学系と、
前記被検眼からの前記測定光の戻り光と前記参照光との干渉光に基づく干渉信号を用いて前記被検眼の断層画像を生成する制御部と、
を備え、
前記制御部は、前記被検眼を撮影するための撮影モードを、前記被検眼の眼底を撮影する眼底撮影モードと前記被検眼の前眼部を撮影する前眼撮影モードとで切り替えるモード切替部を含み、
前記合焦部は、
前記眼底撮影モードにおいて、所定の範囲内の屈折異常値を有する被検眼の眼底に前記測定光を合焦可能であり、
前記前眼撮影モードでは、前記測定光の合焦状態を、前記眼底撮影モードにおいて前記所定の範囲内の所定の遠視側屈折異常値を有する被検眼の眼底に前記測定光を合焦させる場合の合焦状態にする、眼科光干渉断層撮影装置。
【請求項２】
前記所定の遠視側屈折異常値をＤ［ディオプター］とした場合、前記所定の遠視側屈折異常値は２０＜Ｄ＜７５を満たす値である、請求項１に記載の眼科光干渉断層撮影装置。
【請求項３】
前記撮影モードは、前記測定光学系に追加の光学系を加えることなく切り替えられる、請求項１又は２に記載の眼科光干渉断層撮影装置。
【請求項４】
前記測定光学系は、前記測定光を前記被検眼上で走査する走査部を更に有し、
前記測定光学系は、前記走査部の像を前記被検眼側の光学的共役点へ１／３倍以下の倍率で結像し、
前記被検眼の瞳が前記走査部と光学的共役関係になるように前記測定光学系を位置合わせした場合に、前記測定光学系における前記被検眼に近接する光学面と前記被検眼の角膜との距離が１８ｍｍ以上である、請求項１乃至３のいずれか一項に記載の眼科光干渉断層撮影装置。
【請求項５】
前記合焦部は、フォーカスレンズを有し、該フォーカスレンズの位置を移動することにより前記測定光の合焦状態を変更する、請求項１乃至４のいずれか一項に記載の眼科光干渉断層撮影装置。
【請求項６】
前記制御部は前記合焦部を制御して前記フォーカスレンズの位置を移動させる、請求項５に記載の眼科光干渉断層撮影装置。
【請求項７】
前記制御部は、前記モード切替部により前記前眼撮影モードが選択された場合に、前記所定の遠視側屈折異常値を有する被検眼の眼底に前記測定光を合焦させる位置へ前記フォーカスレンズを移動させる、請求項６に記載の眼科光干渉断層撮影装置。
【請求項８】
前記フォーカスレンズの所定位置を記憶する記憶部を更に備え、
前記記憶部は、前記モード切替部が撮影モードを前記眼底撮影モードから前記前眼撮影モードに切り替える場合に、眼底撮影時の前記フォーカスレンズの位置を記憶し、
前記制御部は、前記モード切替部が前記撮影モードを前記眼底撮影モードに切り替える場合に、前記フォーカスレンズを前記所定位置又は前記眼底撮影時の前記フォーカスレンズの位置へ移動する、請求項６又は７に記載の眼科光干渉断層撮影装置。
【請求項９】
前記被検眼の前眼部を観察する前眼部観察系を更に備え、
前記前眼部観察系は前記被検眼への合焦状態を変更する前眼合焦部を有し、
前記前眼合焦部は、
前記眼底撮影モードでは、前記測定光学系の前記被検眼側の光学的共役点に合焦し、
前記前眼撮影モードでは、前記眼底撮影モードにおける前記所定の遠視側屈折異常値を有する被検眼の眼底と共役な位置に合焦する、請求項１乃至８のいずれか一項に記載の眼科光干渉断層撮影装置。
【請求項１０】
前記測定光学系を前記測定光学系の光軸方向に移動させる移動部を更に備え、
前記移動部は、
前記撮影モードが前記眼底撮影モードから前記前眼撮影モードへ切り替えられた場合、前記光軸方向において前記被検眼より所定量だけ遠ざける方向に前記測定光学系を移動させ、
前記撮影モードが前記前眼撮影モードから前記眼底撮影モードへ切り替えられた場合、前記光軸方向において前記被検眼より前記所定量だけ近づける方向に前記測定光学系を移動させる、請求項１乃至９のいずれか一項に記載の眼科光干渉断層撮影装置。
【請求項１１】
前記所定の遠視側屈折異常値をＤ［ディオプター］とし、前記眼底撮影モードにおける前記被検眼と前記測定光学系との間のワーキングディスタンスをＷＤとした場合、前記所定量は略１０００／Ｄ［ｍｍ］である、請求項１０に記載の眼科光干渉断層撮影装置。
【請求項１２】
前記被検眼の固視を促すために前記被検眼の眼底に固視灯を投影する固視灯投影部を更に備え、
前記固視灯投影部は、前記被検眼の眼底に対する前記固視灯の合焦状態を変更する固視灯合焦部を有し、
前記固視灯合焦部は、
前記眼底撮影モードでは、前記合焦部と連動して前記固視灯の合焦状態を変更可能であり、
前記前眼撮影モードでは、前記合焦部と独立して前記固視灯の合焦状態を変更可能である、請求項１乃至１１のいずれか一項に記載の眼科光干渉断層撮影装置。
【請求項１３】
前記被検眼の固視を促すために前記被検眼の眼底に固視灯を投影する固視灯投影部を更に備え、
前記固視灯投影部は、前記被検眼の眼底に対する前記固視灯の合焦状態を変更する固視灯合焦部を有し、
前記固視灯合焦部は、前記モード切替部によって前記撮影モードが切り替えられる場合に、前記固視灯の合焦状態を変更しない、請求項１乃至１１のいずれか一項に記載の眼科光干渉断層撮影装置。
【請求項１４】
光を射出する光源と、前記光源が出射した光を測定光と参照光に分割する光分割器と、被検眼に対する前記測定光の合焦状態を変更する合焦部を有し、前記測定光を被検眼に投影する測定光学系と、前記被検眼からの前記測定光の戻り光と前記参照光との干渉光に基づく干渉信号を用いて前記被検眼の断層画像を生成する制御部とを備える眼科光干渉断層撮影装置の制御方法であって、
前記被検眼を撮影するための撮影モードを、前記被検眼の眼底を撮影する眼底撮影モードと前記被検眼の前眼部を撮影する前眼撮影モードとで切り替える工程と、
前記眼底撮影モードにおいて、所定の範囲内の屈折異常値を有する被検眼の眼底に前記測定光を合焦する工程と、
前記前眼撮影モードにおいて、前記測定光の合焦状態を、前記眼底撮影モードにおいて前記所定の範囲内の所定の遠視側屈折異常値を有する被検眼の眼底に前記測定光を合焦させる場合の合焦状態にする工程と、
を含む、眼科光干渉断層撮影装置の制御方法。
【発明の詳細な説明】
【技術分野】
【０００１】
本発明は、眼科光干渉断層撮影装置及び眼科光干渉断層撮影装置の制御方法に関する。
【背景技術】
【０００２】
近年、眼科診断分野において、非侵襲で眼底及び前眼部の観察並びに計測ができる光干渉断層撮影法（ＯＣＴ：Ｏｐｔｉｃａｌ  Ｃｏｈｅｒｅｎｃｅ  ｔｏｍｏｇｒａｐｈｙ）を用いた装置（ＯＣＴ装置）が、研究分野から臨床現場まで広く普及している。ＯＣＴ装置は、物体へ光源からの光を照射し反射・散乱してきた光である測定光と参照光とを干渉させて、物体の深さ方向に関する干渉光の強度を取得し、物体の断層構造を画像化することができる。また、ＯＣＴ装置は、物体の深さ方向に対する断層画像の解析を行うこともできる。
【先行技術文献】
【特許文献】
【０００３】
【特許文献１】特開２０１１−１４７６１２号公報
【発明の概要】
【発明が解決しようとする課題】
【０００４】
ＯＣＴ装置において、被検眼の眼底を撮影した後に前眼部の撮影を行う場合には、測定光の焦点位置を移動させる光学系を装置へ着脱して撮影を行う手法が知られている。特許文献１では、前眼部の断層画像を撮影しようとする場合に、ＯＣＴ装置の対物レンズにアダプターレンズを取り付けて撮影を行う技術が開示されている。この技術を用いると、アダプターレンズを取り付けるための時間がかかることと、アダプターレンズの着脱による撮影の高い再現性が求められる。
【０００５】
本発明は、上述した状況を鑑み、眼底撮影モードと前眼撮影モードの間の撮影モードの切替操作を簡便化することで、検者の負担を軽減させるとともに切替時間を短縮することが可能な光干渉断層撮影装置及びその制御方法を提供することを目的の一つとする。
【課題を解決するための手段】
【０００６】
上記課題を解決するため、本発明の一実施態様に係る眼科光干渉断層撮影装置は、光を射出する光源と、前記光源が出射した光を測定光と参照光に分割する光分割器と、被検眼に対する前記測定光の合焦状態を変更する合焦部を有し、前記測定光を前記被検眼に投影する測定光学系と、前記被検眼からの前記測定光の戻り光と前記参照光との干渉光に基づく干渉信号を用いて前記被検眼の断層画像を生成する制御部とを備え、前記制御部は、前記被検眼を撮影するための撮影モードを、前記被検眼の眼底を撮影する眼底撮影モードと前記被検眼の前眼部を撮影する前眼撮影モードとで切り替えるモード切替部を含み、前記合焦部は、前記眼底撮影モードにおいて、所定の範囲内の屈折異常値を有する被検眼の眼底に前記測定光を合焦可能であり、前記前眼撮影モードでは、前記測定光の合焦状態を、前記眼底撮影モードにおいて前記所定の範囲内の所定の遠視側屈折異常値を有する被検眼の眼底に前記測定光を合焦させる場合の合焦状態にする。
【発明の効果】
【０００７】
本発明によれば、眼底撮影モードと前眼撮影モードの間の撮影モードの切替操作を簡便化することで、検者の負担を軽減させるとともに切替時間を短縮することができる。
【図面の簡単な説明】
【０００８】
【図１】第１の実施形態におけるＯＣＴ装置の概略を示す模式図である。
【図２】リレーレンズと対物レンズの構成条件を説明するための図である。
【図３】ＯＣＴ装置の外観を示す模式図である。
【図４】前眼撮影モードにおけるＯＣＴフォーカスレンズの位置を説明するための図である。
【図５】撮影処理のフローチャートである。
【図６】ＯＣＴ装置の撮影用画面の一例を示す。
【発明を実施するための形態】
【０００９】
以下、本発明を実施するための例示的な実施形態を、図面を参照して詳細に説明する。ただし、以下の実施形態で説明する寸法、材料、形状、及び構成要素の相対的な位置等は任意であり、本発明が適用される装置の構成又は様々な条件に応じて変更できる。また、図面において、同一であるか又は機能的に類似している要素を示すために図面間で同じ参照符号を用いる。なお、以下の実施形態において、被検眼の奥行き方向をＺ方向、水平方向をＸ方向、鉛直方向をＹ方向とする。
【００１０】
（第１の実施形態）
以下、図１乃至６（ｂ）を参照して、本発明の第１の実施形態に係る被検眼の眼底及び前眼部の断層画像を撮影する断層画像撮影システムに関する眼科光干渉断層撮影装置の一例であるＯＣＴ装置について説明する。
【００１１】
（装置構成）
まず、図１を参照して、本実施形態に係るＯＣＴ装置について説明する。図１は、本実施形態に係るＯＣＴ装置の光学系及び制御系の概略を示す。なお、図１において、被検眼Ｅは眼球を側面からみた断面として示されている。また、図１において示される光線には、ファイバを通って伝搬するものと、光学部材を介して空中を伝搬するものが含まれる。
【００１２】
本実施形態のＯＣＴ装置１には、光学ヘッド１１０、制御部１５０、表示部１４０、及び操作部１６０が設けられている。光学ヘッド１１０には、被検眼Ｅを撮影するための光学系が含まれる。制御部１５０は、光学ヘッド１１０及び表示部１４０に接続され、コンピュータプログラムや検者からの指示に応じて、光学ヘッド１１０及び表示部１４０を制御することができる。また、制御部１５０は、操作部１６０に接続され、操作部１６０を介して検者（操作者）からの入力を取得することができる。
【００１３】
表示部１４０は任意のモニタによって構成されることができ、制御部１５０から送られてくる被検者や検査等の各種情報や、撮影された各種画像等を表示することができる。操作部１６０は、制御部１５０への指示を行う入力部であり、例えばキーボード及びマウス等から構成されることができる。
【００１４】
なお、本実施形態では、光学ヘッド１１０、制御部１５０、表示部１４０、及び操作部１６０を別体として構成しているが、これらの一部又は全部を一体として構成してもよい。例えば、表示部１４０をタッチスクリーン等により構成することで、表示部１４０及び操作部１６０を一体として構成することができる。
【００１５】
光学ヘッド１１０には、ＯＣＴ光学系の光路Ｌ１−ａ，Ｌ１−ｂ、ＳＬＯ光学系の光路Ｌ２、前眼部観察光学系（前眼部観察系）の光路Ｌ３、及び固視灯光学系（固視灯投影部）の光路Ｌ４が設けられている。ここで、ＳＬＯとは、走査型検眼鏡（Ｓｃａｎｎｉｎｇ  Ｌａｓｅｒ  Ｏｐｈｔｈａｌｍｏｓｃｏｐｅ）のことをいう。
【００１６】
光学ヘッド１１０では、被検体である被検眼Ｅに対向して対物レンズ１００が設けられており、対物レンズ１００の光軸上に第１ダイクロイックミラー３０が配置されている。対物レンズ１００からの光路は、第１ダイクロイックミラー３０によって、ＯＣＴ光学系の光路Ｌ１−ａ、ＳＬＯ光学系の光路Ｌ２、及び固視灯光学系の光路Ｌ４に至る光路と、前眼部観察光学系の光路Ｌ３とに光線の波長帯域ごとに分岐される。また、第１ダイクロイックミラー３０の反射方向には第２ダイクロイックミラー２８が配置される。第１ダイクロイックミラー３０の反射方向における光路は、第２ダイクロイックミラー２８によって、ＯＣＴ光学系の光路Ｌ１−ａと、ＳＬＯ光学系の光路Ｌ２及び固視灯光学系の光路Ｌ４に至る光路とに光線の波長帯域ごとに分岐される。
【００１７】
なお、本実施形態に係る構成では、第１ダイクロイックミラー３０の透過方向に前眼部観察光学系の光路Ｌ３、反射方向にＯＣＴ光学系の光路Ｌ１−ａ、ＳＬＯ光学系の光路Ｌ２、及び固視灯光学系の光路Ｌ４に至る光路が配置される。また、第２ダイクロイックミラー２８の透過方向にＯＣＴ光学系の光路Ｌ１−ａ、反射方向にＳＬＯ光学系の光路Ｌ２及び固視灯光学系の光路Ｌ４に至る光路が配置される。しかしながら、各ダイクロイックミラーの透過方向及び反射方向に設けられる光路は互いに逆であってもよい。
【００１８】
ＯＣＴ光学系（光路Ｌ１−ａ，Ｌ１−ｂ）は、被検眼Ｅの断層画像を取得するための干渉光学系（測定光学系）である。以下、ＯＣＴ光学系の構成について説明する。
【００１９】
ＯＣＴ光源１０は、波長掃引型（ＳＳ：Ｓｗｅｐｔ  Ｓｏｕｒｃｅ）光源であり、例えば、掃引中心波長１０５０ｎｍ、掃引幅１００ｎｍで波長掃引しながら光を射出する。なお、本実施形態では、ＯＣＴ光源としてＳＳ光源を選択したが、ＯＣＴ光源は低コヒーレンス光が出射できればよく、例えばＳＬＤ（Ｓｕｐｅｒ  Ｌｕｍｉｎｅｓｃｅｎｔ  Ｄｉｏｄｅ）光源等の他の種類の光源を用いることもできる。また、光源の掃引幅は、得られる断層画像における被検眼Ｅの奥行き方向の深さ分解能に影響するため、なるべく広くすることができる。ＯＣＴ光源１０が出射した光は光ファイバを介してカプラ１２に入射する。
【００２０】
カプラ１２は、ＯＣＴ光源１０から出射された光を、測定光路（光路Ｌ１−ａ）へ向かう測定光と、参照光路（光路Ｌ１−ｂ）へ向かう参照光とに光強度比３０：７０で分割する。測定光は測定光路を通り被検眼Ｅの眼底Ｅｒへ照射され、眼底Ｅｒで反射・散乱され戻り光として測定光路を戻り、カプラ１２へと再び入射する。参照光は参照光路（光路Ｌ１−ｂ）を通りカプラ１２へと再び入射する。カプラ１２により分割される光強度の割合は上述の割合に限らず、被検体に合わせる等、所望の構成に応じて適切なものを選択することができる。なお、カプラ１２は、ＯＣＴ光源１０から出射された光を測定光と参照光に分割する光分割器の一例として機能する。
【００２１】
測定光路（光路Ｌ１−ａ）において、カプラ１２で分割された測定光は、ファイバを介して、ファイバ端１４より空気中へ出射される。出射された光は、レンズ１６、及びＯＣＴフォーカスレンズ１８を介して、Ｘガルバノスキャナ２０及びＹガルバノスキャナ２２へ導かれる。
【００２２】
ＯＣＴフォーカスレンズ１８は、制御部１５０によって制御される不図示のモーター等の駆動手段により図中の矢印で示される光軸方向へ移動させることができ、被検眼Ｅに対する測定光の合焦状態を変更できる。そのため、眼底Ｅｒの撮影時のＯＣＴフォーカスレンズ１８の位置は、被検眼Ｅの視度等に応じて異なる位置に調整されることができる。ここで、ＯＣＴフォーカスレンズ１８及びＯＣＴフォーカスレンズ１８を移動させる不図示のモーター等の駆動手段は、被検眼Ｅに対する測定光の合焦状態を変更するＯＣＴ合焦部１９を構成する。
【００２３】
Ｘガルバノスキャナ２０とＹガルバノスキャナ２２は、互いに直交する方向に測定光を走査することができる。本実施形態では、Ｘガルバノスキャナ２０はＸ方向に測定光を走査し、Ｙガルバノスキャナ２２はＹ方向に測定光を走査するが、各スキャナによる走査方向は互いに直交する方向であればこれに限られない。Ｘガルバノスキャナ２０とＹガルバノスキャナ２２は、測定光を被検眼上で走査するＯＣＴ走査部２３を構成する。
【００２４】
ＯＣＴ走査部２３は、制御部１５０によって制御される不図示のモーターにより駆動される。制御部１５０は、不図示のモーターにより各ガルバノスキャナを駆動し、被検眼Ｅの眼底Ｅｒ又は前眼部Ｅｆの所望の範囲を撮影できるように、被検眼Ｅに対する各スキャナの振り角を制御し、被検眼Ｅに対する測定光の入射角度を制御することができる。なお、本実施形態では、Ｘガルバノスキャナ２０とＹガルバノスキャナ２２は、それぞれガルバノミラーを用いて構成されているが、所望の構成に応じて、１枚で２次元方向に測定光を走査可能なＭＥＭＳミラー等の任意の偏向手段を用いて構成されてよい。
【００２５】
なお、ＯＣＴ走査部２３は、光学ヘッド１１０に設けられた不図示の駆動制御部により制御される不図示のモーターにより駆動されてもよい。この場合、不図示の駆動制御部は、制御部１５０からの制御信号に基づいて、不図示のモーターを駆動させてもよい。
【００２６】
ＯＣＴ走査部２３から出射された光は、ミラー２４で偏向され、リレーレンズ２６、第２ダイクロイックミラー２８、及び第１ダイクロイックミラー３０を介して、対物レンズ１００から被検眼Ｅへ入射する。被検眼Ｅの瞳孔から被検眼Ｅに入射した光は、被検眼Ｅの眼底Ｅｒによって反射・散乱し、再び被検眼Ｅの瞳孔を通り、対物レンズ１００を介して、上述の光路Ｌ１−ａの光学系を通り、ファイバ端１４へ入射する。なお、被検眼Ｅの前眼部Ｅｆを撮影する場合には、対物レンズ１００から被検眼Ｅへ入射した光は、前眼部Ｅｆによって反射・散乱し、対物レンズ１００を介して、上述の光路Ｌ１−ａの光学系を通り、ファイバ端１４へ入射する。ファイバ端１４から入射した被検眼Ｅの眼底Ｅｒ又は前眼部Ｅｆからの測定光は、カプラ１２及び光ファイバを介して、カプラ５４へ導かれる。
【００２７】
一方で、参照光路（Ｌ１−ｂ）において、カプラ１２で分割された参照光は、ファイバを介して、ファイバ端４０より空中へ出射される。出射された光は、コリメートレンズ４２を介して光量調整用ＮＤフィルタ４４を通り、コーナーキューブリフレクタ４６により偏向され、レンズ４８を介してファイバ端５０へ入射する。
【００２８】
コーナーキューブリフレクタ４６は、制御部１５０によって制御される不図示のモーター等の駆動手段により、図中矢印で示される光軸方向に移動させることができ、参照光路長を変更することができる。そのため、コーナーキューブリフレクタ４６の位置を調整し参照光路長を変更することで、測定光路（光路Ｌ１−ａ）と参照光路（光路Ｌ１−ｂ）との光路長差を変更することができる。以下、光路長差を制御するための、コーナーキューブリフレクタ４６の位置調整をコヒーレンスゲート調整という。なお、本実施形態では、参照光路長の光路長を変更しているが、例えば測定光路に不図示の可動ミラー等を設けて測定光路側の光路長を変更し、同様に測定光路と参照光路の光路長差を変更してもよい。
【００２９】
ファイバ端５０より入射した参照光は、偏光調整器５２を介して、カプラ５４へ導かれる。偏光調整器５２は、偏光調整器５２を通った光の偏光状態を変えることができ、参照光路（Ｌ１−ｂ）を通る参照光の偏光状態を、測定光路（Ｌ１−ａ）を通った測定光のもつ偏光特性と一致させ、測定光と参照光の干渉強度を大きくすることができる。なお、偏光の調整は、ＯＣＴ装置１を組み立てる際に行うことができる。
【００３０】
眼底Ｅｒ又は前眼部Ｅｆにて反射・散乱して戻ってきた測定光と、コーナーキューブリフレクタ４６によって光路長を測定光路の光路長と等しくなる付近に調整された参照光路を通った参照光は、カプラ５４にて合波されて干渉光となる。干渉光は、バランス検出器５６へ入射させるために、カプラ５４によって２つの干渉光に分割される。なお、カプラ５４は、測定光と参照光を合波する光結合器の一例として機能する。
【００３１】
分割された２つの干渉光は、光ファイバを介してバランス検出器５６へ入射する。バランス検出器５６は、入射された２つの干渉光の直流成分を除去し、干渉成分のみを有する干渉信号を生成することができる。生成された干渉信号は、Ａ／Ｄ変換されて制御部１５０へ入力される。
【００３２】
制御部１５０は、干渉信号から固定パターンノイズを除去することができる。固定パターンノイズの除去は、例えば検出した複数の干渉信号を平均することで固定パターンノイズを抽出し、これを入力された干渉信号から減算することで行われることができる。なお、固定パターンノイズの除去方法はこれに限られず、公知の任意の手法を採用してよい。また、制御部１５０は、装置の持つ位相特性の補正を行うことができる。この位相特性の補正については、制御部１５０の記憶部１５４に、予め位相補正関数を記憶しておいてよい。なお、位相補正関数に関しては、後述する撮影モード毎に別々の位相補正関数を記憶することができる。
【００３３】
制御部１５０は、有限区間で干渉信号をフーリエ変換した場合にトレードオフの関係となる、深さ分解能とダイナミックレンジを最適化するために、所望の窓関数処理を行う。その後、制御部１５０は、高速フーリエ変換（ＦＦＴ：Ｆａｓｔ  Ｆｏｕｒｉｅｒ  Ｔｒａｎｓｆｏｒｍ）処理を行うことによって、被検眼Ｅの深さ方向（Ｚ方向）の情報を示す断層信号を生成することができる。
【００３４】
なお、これらの処理は、後述する制御部１５０の画像処理部１５１によって行われてよい。また、バランス検出器５６からのアナログ信号を出力し、制御部１５０でＡ／Ｄ変換を行ってもよい。さらに、本実施形態では、バランス検出器５６を用いたが、その他の任意の検出器を用いて干渉光から干渉信号を生成してもよい。
【００３５】
制御部１５０は、断層信号を用いて被検眼Ｅの断層画像を生成することができる。また、制御部１５０は、生成した断層画像を表示部１４０に表示させることで、検者へ断層画像を提供することができる。
【００３６】
ここで、リレーレンズ２６と対物レンズ１００の構成条件について説明する。本実施形態では、リレーレンズ２６の焦点位置にＯＣＴ走査部２３が配置され、ＯＣＴ走査部２３と被検眼Ｅの瞳孔とは、光学的共役関係になるように構成されている。なお、ＯＣＴ走査部２３におけるＸガルバノスキャナ２０とＹガルバノスキャナ２２の中央位置付近と被検眼Ｅの瞳孔とが共役位置になるようにＯＣＴ走査部２３が配置されてよい。この場合、結像倍率βは、下記式１のように、対物レンズ１００の焦点距離Ｆｏとリレーレンズ２６の焦点距離Ｆｉとの比によって決まる。
β＝Ｆｏ／Ｆｉ  （式１）
【００３７】
ここで、図２（ａ）及び（ｂ）を参照して、対物レンズ１００の焦点距離の変更による結像倍率βの変化と撮影画角の関係について説明する。図２（ａ）及び（ｂ）には、対物レンズ１００の焦点距離を変更して、結像倍率βを変更した場合の、眼底撮影における、ＯＣＴ走査部２３の振り角と眼底Ｅｒに対する撮影画角の関係を示されており、軸上及び軸外の光束が模式的に示されている。図２（ａ）は、対物レンズ１００の焦点距離を図２（ｂ）における対物レンズ１００の焦点距離と比べて短くした場合の光束を示す。ここで、ＯＣＴ走査部２３における各ガルバノミラーの振り角を一定とすると、結像倍率βが小さい場合には図２（ａ）に示されるように撮影画角は広くなり、結像倍率βが大きい場合には図２（ｂ）に示されるように撮影画角は狭くなる。
【００３８】
図２（ａ）に示されるような広画角撮影の場合、対物レンズ１００の焦点距離が短くなるため、被検眼Ｅと対物レンズ１００との距離ＷＤ（ｌ）（ワーキングディスタンス）は短くなる。一方、図２（ｂ）に示されるような狭画角撮影の場合、対物レンズ１００の焦点距離が長くなるため、被検眼Ｅと対物レンズ１００との距離ＷＤ（ｈ）は長くなる。ここで、ワーキングディスタンスとは、対物レンズ１００の被検眼Ｅ側の焦点が被検眼Ｅの所望の箇所に位置する際の、光学ヘッド１１０に含まれる光学系における対物レンズ１００の被検眼Ｅに近接する光学面と被検眼Ｅの角膜との間の距離をいう。
【００３９】
ワーキングディスタンスを小さくすると、１回の撮影で眼底Ｅｒの広い範囲を撮影できるが、被検眼Ｅとの光学ヘッド１１０の距離が近くなり、被検者の鼻等が光学ヘッド１１０に接触し、撮影が困難になる。そのため、ワーキングディスタンスは１８ｍｍ以上とすることができる。
【００４０】
また、対物レンズ１００の焦点距離が小さいと、対物レンズ１００のパワーは大きくなる。そのため、広画角撮影の場合には、ＯＣＴフォーカスレンズ１８を移動させて被検眼Ｅの視度に応じて測定光の合焦位置を調整する際における被検眼Ｅの視度に対するＯＣＴフォーカスレンズ１８の移動量は、狭画角撮影の場合に比べて小さくなる。従って、同じ視度範囲を撮影できるように構成すると、図２（ａ）及び（ｂ）に示すように、広画角撮影時のＯＣＴフォーカスレンズ１８の移動範囲Ｌｌは、狭画角撮影時のＯＣＴフォーカスレンズ１８の移動範囲Ｌｈより狭くなる。
【００４１】
ここで、一般的に普及しているＯＣＴ装置と同様のＯＣＴフォーカスレンズの移動範囲、及びワーキングディスタンスを想定した場合、結像倍率βは、
β＜１／３  （式２）
を満たすように設定されることができる。このため、ＯＣＴ装置１では、式１に示す対物レンズ１００の焦点距離Ｆｏとリレーレンズ２６の焦点距離Ｆｉの比が、１／３よりも小さくなるように、対物レンズ１００とリレーレンズ２６を構成することができる。言い換えると、ＯＣＴ走査部２３の像をＯＣＴ測定光学系の被検眼側の光学的共役点へ１／３倍以下の倍率で結像するように、対物レンズ１００とリレーレンズ２６を構成することができる。
【００４２】
次に、図１を再度参照して、ＳＬＯ光学系（光路Ｌ２）について説明する。ＳＬＯ光学系は、被検眼Ｅの眼底正面画像又は前眼正面画像を取得するための光学系である。ＳＬＯ光学系を用いて、眼底Ｅｒの水平鉛直方向の２次元の範囲について照明光を走査することで、制御部１５０は眼底Ｅｒの２次元画像（眼底正面画像）を継時的に取得することができる。同様に、ＳＬＯ光学系を用いて、前眼部Ｅｆの水平鉛直方向の２次元の範囲について照明光を走査することで、制御部１５０は前眼部Ｅｆの２次元画像（前眼正面画像）を継時的に取得することができる。
【００４３】
ＳＬＯ光源８０は被検眼Ｅに照射される照明光を出射する。本実施形態では、ＳＬＯ光源８０として中心波長７８０ｎｍの半導体レーザを用いるが、所望の構成に応じて任意の光源を用いてよい。ＳＬＯ光源８０より出射された光（照明光）は、レンズ８２を介して、第３ダイクロイックミラー６４で偏向され、ミラー６６の穴あき部を通過する。なお、本実施形態では、ミラー６６は穴あきミラーを用いて構成したが、中空のミラーが蒸着されたプリズムを用いて構成してもよい。
【００４４】
穴あき部を通過した光は、ＳＬＯフォーカスレンズ６８及びコリメートレンズ７０を介して、Ｘポリゴンスキャナ７２及びＹガルバノスキャナ７４に入射する。ＳＬＯフォーカスレンズ６８は、制御部１５０によって制御される不図示のモーター等の駆動手段により図中矢印で示される光軸方向へ移動させることができ、被検眼Ｅに対する照明光の合焦状態を変更できる。そのため、眼底Ｅｒの撮影時のＳＬＯフォーカスレンズ６８の位置は、被検眼Ｅの視度に応じて異なる位置に調整されることができる。ＳＬＯフォーカスレンズ６８及びＳＬＯフォーカスレンズ６８を移動させる不図示のモーター等の駆動手段は、被検眼Ｅに対する照明光の合焦状態を変更するＳＬＯ合焦部６９を構成する。
【００４５】
Ｘポリゴンスキャナ７２とＹガルバノスキャナ７４は、互いに直交する方向に照明光を走査することができる。本実施形態では、Ｘポリゴンスキャナ７２はＸ方向に測定光を走査し、Ｙガルバノスキャナ７４はＹ方向に測定光を走査するが、各スキャナによる走査方向は互いに直交する方向であればこれに限られない。Ｘポリゴンスキャナ７２とＹガルバノスキャナ７４は、照射光を被検眼Ｅに対して走査するＳＬＯ走査部７３を構成する。
【００４６】
ＳＬＯ走査部７３は、制御部１５０によって制御される不図示のモーターにより駆動される。制御部１５０は、不図示のモーターにより各スキャナを駆動し、被検眼Ｅの眼底Ｅｒ又は前眼部Ｅｆの所望の範囲を撮影できるように、被検眼Ｅに対する各ミラーの振り角を制御し、被検眼Ｅへの照明光の入射角度を制御することができる。なお、本実施形態では、Ｘポリゴンスキャナ７２及びＹガルバノスキャナ７４は、それぞれポリゴンミラーとガルバノミラーを用いて構成されているが、所望の構成に応じて、共振スキャナやガルバノスキャナ等の任意の偏向手段を用いて構成されてよい。
【００４７】
なお、ＳＬＯ走査部７３は、光学ヘッド１１０に設けられた不図示の駆動制御部により制御される不図示のモーターにより駆動されてもよい。この場合、不図示の駆動制御部は、制御部１５０からの制御信号に基づいて、不図示のモーターを駆動させてもよい。
【００４８】
ＳＬＯ走査部７３から出射された照明光は、レンズ７８を通過後、第２ダイクロイックミラー２８によって偏向されて測定光路（光路Ｌ１−ａ）との共通の光路を通り、第１ダイクロイックミラー３０で偏向され、対物レンズ１００から被検眼Ｅへ照射される。被検眼Ｅの瞳孔から入射した光は、被検眼Ｅの眼底Ｅｒによって反射・散乱し、再び被検眼Ｅの瞳孔を通り、対物レンズ１００、並びに第１及び第２ダイクロイックミラー３０，２８を介して上述の光路Ｌ２の光学系に入射する。なお、被検眼Ｅの前眼部Ｅｆを撮影する場合には、対物レンズ１００から被検眼Ｅへ入射した光は、前眼部Ｅｆによって反射・散乱し、対物レンズ１００、並びに第１及び第２ダイクロイックミラー３０，２８を介して、上述の光路Ｌ２の光学系に入射する。
【００４９】
光路Ｌ２の光学系に入射した照明光の戻り光は、ミラー６６の反射ミラーによって偏向され、レンズ９０及びレンズ９２を介して、ＡＰＤ（アバランシェフォトダイオード）９４で受光される。ＡＰＤ９４は、受光した照明光の戻り光を電気信号に変換する。ＡＰＤ９４によって生成された電気信号はＡ／Ｄ変換されて制御部１５０へ入力される。
【００５０】
制御部１５０は、入力された電気信号について、固定パターンノイズの除去等を行うことができる。制御部１５０は、入力された電気信号又は固定パターンノイズ除去等が施された信号に基づいて被検眼ＥのＳＬＯ画像（眼底正面画像又は前眼正面画像）を生成することができる。また、制御部１５０は、生成したＳＬＯ画像を表示部１４０に表示させることで、検者へＳＬＯ画像を提供することができる。なお、固定パターンノイズの除去等の処理は、後述する制御部１５０の画像処理部１５１によって行われてよい。また、ＡＰＤ９４からのアナログ信号を制御部１５０に出力し、制御部１５０でＡ／Ｄ変換を行ってもよい。
【００５１】
また、制御部１５０は、ＯＣＴ撮影時に、ＳＬＯ画像を用いて被検眼Ｅの移動をＯＣＴ走査部２３の走査にフィードバックすることで、被検眼Ｅのトラッキングを行うことができる。より具体的には、制御部１５０は、例えばＳＬＯ画像中の血管分岐等の特徴箇所を抽出し、眼底Ｅｒや前眼部Ｅｆの移動量を算出する。制御部１５０は、算出した移動量に基づいて測定光路中のＸガルバノスキャナ２０及びＹガルバノスキャナ２２の駆動量を制御することで、被検眼Ｅのリアルタイムトラッキングを行うことができる。
【００５２】
次に、前眼部観察光学系（光路Ｌ３）について説明する。前眼部観察光学系（前眼部観察系）は、被検眼Ｅの前眼部Ｅｆを撮影するための光学系である。制御部１５０は前眼部観察光学系を用いることで被検眼Ｅの前眼部Ｅｆの前眼部観察画像を継時的に取得することができる。前眼部観察画像は、被検眼Ｅに対する光学ヘッド１１０のＸＹ方向のアライメントや、光学ヘッド１１０と被検眼Ｅとの間のワーキングディスタンスを調整するためのＺ方向のアライメントに用いることができる。
【００５３】
まず、不図示の前眼部照明光源から発せられた前眼観察光により被検眼Ｅの前眼部Ｅｆが照明される。被検眼Ｅの前眼部Ｅｆから反射・散乱された光は、対物レンズ１００を介して、第１ダイクロイックミラー３０を透過し、レンズ３２、補正レンズ３４、スプリットプリズム３６、及びレンズ３７を介し、撮像ユニット３８で結像する。撮像ユニット３８は、例えばＣＭＯＳカメラやＣＣＤカメラ等を用いて構成することができる。前眼部照明光源には、中心波長８７０ｎｍを持つ前眼観察光を発するＬＥＤが配置され、撮像ユニット３８は、前眼観察光に受光感度を持つ。
【００５４】
撮像ユニット３８から出力された信号はＡ／Ｄ変換されて制御部１５０へ入力され、制御部１５０は入力された信号に基づいて前眼部観察画像を生成することができる。なお、撮像ユニット３８からのアナログ信号を制御部１５０へ入力し、制御部１５０でＡ／Ｄ変換を行ってもよい。また、制御部１５０は、撮像ユニット３８から入力された信号に対してノイズ低減処理等の任意の画像処理を行ってもよい。
【００５５】
スプリットプリズム３６は、被検眼Ｅの瞳孔と共役の位置に配置されている。制御部１５０は、スプリットプリズム３６を通った光に基づく前眼部Ｅｆのスプリット像を用いて、被検眼Ｅに対する光学ヘッド１１０に含まれる光学系の距離を検出することができる。具体的には、撮影時に被検眼Ｅの角膜と光学ヘッド１１０の対物レンズ１００との間の距離が所望のワーキングディスタンスになると、前眼部観察光路を用いて取得された前眼部正面画像が、スプリットされていない前眼部正面画像となる。
【００５６】
補正レンズ３４は、制御部１５０によって制御される不図示のモーター等の駆動手段により、光軸方向と交差する方向へ移動させることができ、被検眼Ｅに対する前眼観察光の合焦状態を変更できる。制御部１５０は、後述する撮影モードの切り替えに応じて、補正レンズ３４の前眼部観察光学系の光路Ｌ３への挿脱を制御することで、撮影モードの切り替えに応じた所望のワーキングディスタンスの変更に対して、前眼観察光の合焦状態を調整することができる。ここで、補正レンズ３４及び補正レンズ３４を移動させる不図示のモーター等の駆動手段は、被検眼Ｅに対する前眼観察光の合焦状態を変更する前眼合焦部３５を構成する。
【００５７】
なお、本実施形態では、補正レンズ３４を、図中矢印で示される光軸方向と直交する方向に移動させたが、補正レンズ３４を移動させる方向はこれに限られない。補正レンズ３４を移動させる方向は、補正レンズ３４を前眼部観察光学系の光路Ｌ３に挿脱可能であり且つ他の光学系に影響のない位置へ移動させる方向であれば、光軸方向に交差する任意の方向に移動させることができる。
【００５８】
本実施形態では、補正レンズ３４は、眼底撮影時には光路Ｌ３に挿入され、前眼撮影時には光路Ｌ３から取り除かれる。なお、眼底撮影時に光路Ｌ３から補正レンズ３４を取り除き、前眼撮影時に光路Ｌ３に補正レンズ３４を挿入する構成としてもよい。
【００５９】
また、本実施形態では、補正レンズ３４の挿脱によって、撮影モードに応じた所望のワーキングディスタンスの変更に対して前眼観察光の合焦状態を調整しているが、前眼観察光の合焦状態の調整方法はこれに限られない。例えば、補正レンズ３４を設けずに、第１ダイクロイックミラー３０以降の光路Ｌ３に配置されているレンズ３２、スプリットプリズム３６、レンズ３７、及び撮像ユニット３８を光軸方向に移動させる不図示のステージ等の駆動手段を設けてもよい。この場合、制御部１５０によって不図示のステージ等の駆動手段を制御し、レンズ３２から撮像ユニット３８までの光学系を光軸方向に移動させることで、前眼観察光の合焦状態を調整してもよい。また、この場合、レンズ３２から撮像ユニット３８までの光学系とこれら光学系を移動させるステージ等の駆動手段が前眼合焦部を構成することができる。
【００６０】
次に、固視灯光学系（光路Ｌ４）は、撮影時の被検眼Ｅを固視方向に誘導し、被検眼Ｅの固視を促すための光学系である。固視灯用光源６０から照射された可視光は、レンズ６２を介して、第３ダイクロイックミラー６４を透過し、ＳＬＯ光学系（光路Ｌ２）と共通の光路を介して、被検眼Ｅの眼底Ｅｒへ入射する。これにより、被検眼Ｅの眼底Ｅｒに固視標が投影される。固視灯用光源としては、例えば中心波長５２０ｎｍのＬＥＤを用いることができる。
【００６１】
本実施形態では、ＳＬＯ光学系（光路Ｌ２）と固視灯光学系（光路Ｌ４）の光学系の一部を共有した構成になっており、ＳＬＯフォーカスレンズ６８を移動させることにより、被検眼Ｅの眼底Ｅｒに固視灯を合焦させることができる。このため、ＳＬＯフォーカスレンズ６８及びＳＬＯフォーカスレンズ６８を移動させる不図示の駆動手段を含むＳＬＯ合焦部６９は、被検眼Ｅに対する固視灯の合焦状態を変更する固視灯合焦部を構成する。
【００６２】
なお、本実施形態では、ＳＬＯ光学系と固視灯光学系（固視灯投影部）の一部を共通化しているが、それぞれ独立の光学系を持つ構成でもよい。そのため、固視灯光学系用にＳＬＯ合焦部６９とは別個に固視灯用フォーカスレンズと固視灯用フォーカスレンズの駆動手段を設け、これらにより固視灯合焦部を構成してもよい。
【００６３】
次に、制御部１５０について説明する。制御部１５０には、画像処理部１５１、駆動制御部１５２、モード切替部１５３、記憶部１５４、及び表示制御部１５５が設けられている。画像処理部１５１は、バランス検出器５６、ＡＰＤ９４、及び撮像ユニット３８からのそれぞれの出力に基づいて、断層画像、ＳＬＯ画像、及び前眼部観察画像を生成・取得することができる。なお、バランス検出器５６、ＡＰＤ９４、及び撮像ユニット３８からのそれぞれの出力に基づく断層画像、ＳＬＯ画像、及び前眼部観察画像の生成方法は、公知の任意の方法を採用してよい。また、画像処理部１５１は、これらの画像を生成する際に、前述のように、固定パターンノイズ除去処理や位相特性の補正処理、窓関数処理、ＦＦＴ処理等を行うことができる。さらに、画像処理部１５１は、ＳＬＯ画像に基づいて、被検眼Ｅのトラッキングに用いる被検眼Ｅの移動量を算出することや、その他の任意の画像処理を行うこともできる。
【００６４】
駆動制御部１５２は、ＯＣＴ走査部２３、ＳＬＯ走査部７３、ＯＣＴ合焦部１９、ＳＬＯ合焦部６９（固視灯合焦部）、及び前眼合焦部３５等の駆動を制御することができる。また、駆動制御部１５２は、ＯＣＴ光源１０等の各光源、及びバランス検出器５６等の各検出器等の構成要素を制御することもできる。さらに、駆動制御部１５２は、後述する光学ヘッド１１０を駆動するためのステージ１１２（移動部）を制御することもできる。なお、制御部１５０では、画像処理部１５１によって算出された被検眼Ｅの移動量に基づいて、駆動制御部１５２がＯＣＴ走査部２３を駆動することで、被検眼Ｅのトラッキングを行うことができる。
【００６５】
モード切替部１５３は、操作部１６０を介した検者からの指示に応じて、眼底Ｅｒを撮影するための眼底撮影モードと前眼部Ｅｆを撮影するための前眼撮影モードとの間で、被検眼Ｅを撮影するための撮影モードを切り換える。なお、駆動制御部１５２は、モード切替部１５３による撮影モードの切り替えに応じて、ＯＣＴ合焦部１９、ＳＬＯ合焦部６９（固視灯合焦部）、及び前眼合焦部３５等の駆動やステージ１１２の駆動を制御することができる。撮影モードに応じたこれら構成要素の制御の詳細については後述する。
【００６６】
記憶部１５４は、断層画像やＳＬＯ画像等の撮影が行われた際の撮影位置、撮影部位、撮影時刻、光路長差（コーナーキューブリフレクタ４６の位置）、各種フォーカスレンズの位置、ステージ１１２の位置、及び撮影モードに関する情報等を記憶する。また、記憶部１５４は、断層画像やＳＬＯ画像等の撮影データ、被検者ＩＤ等の被検者の情報、撮影用画面の情報、及び過去に行った撮影情報等を記憶することもできる。なお、これらの各種情報はそれぞれ関連付けられて被検者情報として記憶部１５４に記憶されることができる。なお、記憶部１５４が記憶するこれらの情報は一例であり、記憶部１５４はその他の情報を記憶してもよいし、これらの情報の一部を記憶していなくてもよい。また、記憶部１５４は、プロセッサーによって実行されることで制御部１５０の各構成要素の機能を果たすためのプログラム等を記憶することもできる。
【００６７】
表示制御部１５５は、各種情報や断層画像等の各種画像や撮影用画面等を表示部１４０に表示させることができる。また、表示制御部１５５は、検者によって入力された情報等を表示部１４０に表示させることができる。
【００６８】
制御部１５０は、例えば汎用のコンピュータを用いて構成されてよい。なお、制御部１５０は、ＯＣＴ装置１の専用のコンピュータを用いて構成されてもよい。制御部１５０は、不図示のＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）、及び光学ディスクやＲＯＭ（Ｒｅａｄ  Ｏｎｌｙ  Ｍｅｍｏｒｙ）等のメモリを含む記憶媒体を備えている。制御部１５０の記憶部１５４以外の各構成要素は、ＣＰＵやＭＰＵ等のプロセッサーによって実行されるソフトウェアモジュールにより構成されてよい。また、当該各構成要素は、ＡＳＩＣ等の特定の機能を果たす回路や独立した装置等によって構成されてもよい。記憶部１５４は、例えば、光学ディスクやメモリ等の任意の記憶媒体によって構成されてよい。
【００６９】
なお、制御部１５０が備えるＣＰＵ等のプロセッサー及びＲＯＭ等の記憶媒体は１つであってもよいし複数であってもよい。そのため、制御部１５０の各構成要素は、少なくとも１以上のプロセッサーと少なくとも１つの記憶媒体とが接続され、少なくとも１以上のプロセッサーが少なくとも１以上の記憶媒体に記憶されたプログラムを実行した場合に機能するように構成されてもよい。なお、プロセッサーはＣＰＵやＭＰＵに限定されるものではなく、ＧＰＵ（Ｇｒａｐｈｉｃｓ  Ｐｒｏｃｅｓｓｉｎｇ  Ｕｎｉｔ）等であってもよい。
【００７０】
次に、図３を参照して、ＯＣＴ装置１の概略的外観について説明する。図３は、ＯＣＴ装置１の外観を示す。なお、図３では説明の簡略化のため、制御部１５０、表示部１４０、及び操作部１６０を省略している。光学ヘッド１１０には、被検眼Ｅに対しての奥行き方向（Ｚ方向）、水平方向（Ｘ方向）、及び鉛直方向（Ｙ方向）に駆動するステージ１１２（移動部）が搭載されている。ステージ１１２は、駆動制御部１５２によって制御されることができ、且つ、本体操作部１１６を用いて操作されることもできる。
【００７１】
撮影時には、顔受け１１４にて被検者の顎と額を固定することで、被検眼Ｅの固定を促すことができる。その後、ステージ１１２によって、光学ヘッド１１０と被検眼Ｅの間のＺ方向の距離（ワーキングディスタンス）と、光学ヘッド１１０の被検眼Ｅに対するＸ方向及びＹ方向に対するアライメント調整を行うことができる。ステージ１１２は、公知の任意の電動ステージ等により構成することができる。
【００７２】
次に、本実施形態に係る眼底撮影モードと前眼撮影モードの切り替え、及び各撮影モードにおけるフォーカスレンズ位置等の各種パラメータについて説明する。上述のように、従来のＯＣＴ装置では、被検眼の眼底を撮影した後に前眼部の撮影を行う場合には、測定光の焦点位置を移動させる光学系を装置へ着脱して撮影を行っていた。
【００７３】
これに対し、本実施形態に係るＯＣＴ装置１では、前眼部Ｅｆを撮影する際に、測定光の合焦状態を、眼底撮影モードにおいて所定の遠視側屈折異常値を有する被検眼Ｅの眼底Ｅｒに測定光を合焦させる場合の合焦状態にして撮影を行う。これにより、従来のＯＣＴ装置で必要とされていた測定光の焦点位置を移動させる光学系をＯＣＴ装置へ着脱することなく、眼底Ｅｒと前眼部Ｅｆの撮影を切り替えることができる。
【００７４】
以下、本実施形態に係る前眼撮影モードにおける測定光の合焦状態の設定について説明する。まず、前眼撮影モードにおいてＯＣＴフォーカスレンズ１８を、眼底撮影モードにおいて遠視側屈折異常値を有する被検眼Ｅに測定光を合焦させる場合のフォーカスレンズ位置側に移動させる理由について述べる。被検眼Ｅの視度は、ディオプターＤとして、下記式３のように、一般的に眼の焦点距離Ｆ［ｍ］の逆数で表される。
Ｄ＝１／Ｆ  （式３）
ここで、Ｄ＝０のとき被検眼Ｅは正視となり、それよりもマイナス側の視度の値（Ｄ＜０）を近視側屈折異常値、プラス側の視度の値（Ｄ＞０）を遠視側屈折異常値という。
【００７５】
前眼撮影を行う場合には、眼底撮影を行う場合に比べて、撮影範囲は被検眼Ｅの深さ方向のより浅い側の範囲となる。そのため、前眼撮影モードでは、測定光を被検眼Ｅのより浅い位置で合焦させるために、ＯＣＴフォーカスレンズ１８の位置をファイバ端１４から遠い側に移動させる。言い換えると、前眼撮影モードでは、ＯＣＴフォーカスレンズ１８の位置を、眼底撮影モードにおいて遠視側屈折異常値を有する被検眼Ｅの眼底Ｅｒに測定光を合焦させる場合のフォーカスレンズ位置側に設定する。これにより、被検眼Ｅの前眼部Ｅｆ側に撮影位置を設定することができる。
【００７６】
ここで、図４（ａ）及び（ｂ）を用いて、前眼撮影モードにおけるＯＣＴフォーカスレンズ１８の位置について説明する。図４（ａ）は前眼撮影モードにおいて正視の被検眼Ｅを撮影する際の光路Ｌ１−ａ及び光路Ｌ３の一例を示し、図４（ｂ）は眼底撮影モードにおいて正視の被検眼Ｅを撮影する際の光路Ｌ１−ａ及び光路Ｌ３の一例を示す。
【００７７】
上述のように、本実施形態に係る前眼撮影モードでは、ＯＣＴフォーカスレンズ１８の位置を、眼底撮影モードにおける被検眼Ｅに対する合焦状態を基準として遠視側屈折異常値を有する被検眼Ｅの眼底Ｅｒに測定光を合焦させる位置に設定する。そのため、図４（ａ）及び（ｂ）の例では、前眼撮影モードでは、前眼撮影モードにおけるＯＣＴフォーカスレンズ１８とレンズ１６の間の距離Ｌａが、眼底撮影モードにおける該距離Ｌｂより長くなる位置に、ＯＣＴフォーカスレンズ１８が配置される。
【００７８】
次に、前眼撮影モードにおけるＯＣＴフォーカスレンズ１８の位置に係る所定の遠視側屈折異常値について説明する。まず、ＯＣＴ装置１により被検眼Ｅの眼底Ｅｒを撮影することを鑑みたＯＣＴ光源１０等の各種パラメータについて説明する。
【００７９】
被検眼Ｅの眼底Ｅｒを撮影する場合に網膜の層構造を撮影するためには、眼底Ｅｒ上の測定光の光軸に垂直な面方向の解像力ｑとして２０μｍ程度が必要となる。ここで、解像力ｑは、対物レンズの焦点距離ｆ、撮影光線波長λ、瞳孔上スポット径φ、及び単位補正係数ｋを用いて、一般的に下記式４で表される。
ｑ＝ｋ×（λ×ｆ／φ）  （式４）
なお、眼底撮影を行う場合、対物レンズの焦点距離ｆは被検眼Ｅの視度を考慮した値とされる。
【００８０】
さらに、被検眼Ｅを測定することを鑑みると、ＯＣＴ撮影に用いるＯＣＴ光源１０の光は近赤外光が適しており、ＯＣＴ光源１０の波長は８５０ｎｍ〜１１００ｎｍ程度の波長範囲とすることができる。また、一般的な眼の瞳孔径は２〜４ｍｍとされており、縮瞳した場合には瞳孔径はより小さくなるため、瞳孔への入射光線の光束を１〜２ｍｍとすることができる。
【００８１】
次に、これらのパラメータを考慮して、前眼撮影モードにおける、対物レンズ１００の焦点距離ｆから、前眼撮影モードにＯＣＴフォーカスレンズ１８の位置に関する遠視側屈折異常値（以下、遠視側屈折異常値Ｄｆという）の条件を考える。まず、式３及び４を用いて、対物レンズ１００の焦点距離ｆをディオプターＤに置き換えると、下記式５のように表せる。
Ｄ＝ｋ×（λ／ｑ×φ）  （式５）
ここで、上述のＯＣＴ装置１に係るパラメータ（解像力ｑ、撮影光線波長λ、及び瞳孔上スポット径φ）を考慮すると、ディオプターＤに変換された対物レンズ１００の焦点距離ｆは下記式６のようになる。
Ｄ＞２０  （式６）
【００８２】
ここで、前眼撮影時には、対物レンズ１００の焦点距離ｆの位置に被検眼Ｅの前眼部Ｅｆが配置されることになるため、ＯＣＴフォーカスレンズ１８は、対物レンズ１００の焦点距離ｆの位置付近に測定光を合焦させることとなる。そのため、前眼撮影時の遠視側屈折異常値Ｄｆについて下記式７の条件を設定することができる。
Ｄｆ＞２０  （式７）
【００８３】
また、眼底撮影において、測定光の光路（光路Ｌ１−ａ）と参照光の光路（光路Ｌ１−ｂ）との光路長差の変更量（調整量）は、被検眼Ｅの眼軸長Ｌｅで決まる。一般的に、ヒトの眼軸長Ｌｅは小児を含めておよそ１０〜３５ｍｍとなる。そのため、眼底撮影モードでは、当該範囲のコヒーレンスゲート調整を行って撮影を行う。
【００８４】
これに対し、前眼撮影モードでは、コヒーレンスゲート調整量の範囲を眼底撮影時と同程度にするために、眼の屈折率Ｎ（Ｎ＝１．３３）を考慮した眼軸長分をコーナーキューブリフレクタ４６の移動範囲とする。ここで、図４（ａ）に示される前眼撮影モードでのワーキングディスタンスＷＤ（ａ）を、眼底撮影時のワーキングディスタンスＷＤ（ｂ）に眼の屈折率Ｎを考慮した眼軸長Ｌｅを加えた距離と同程度とする。被検眼Ｅの視度（ディオプター）は眼軸長と相関があるため、この場合には、眼の屈折率Ｎ及びヒトの眼軸長Ｌｅを考慮して、式３を用いることで、前眼撮影時の遠視側屈折異常値Ｄｆについて下記式８の条件を設定することができる。
２０＜Ｄｆ＜７５  （式８）
【００８５】
このような構成によれば、ＯＣＴ装置１は、従来のＯＣＴ装置で必要とされていた測定光の焦点位置を移動させる光学系をＯＣＴ装置１へ着脱することなく、眼底Ｅｒと前眼部Ｅｆの撮影を切り替えることができる。そのため、眼底撮影モードと前眼撮影モードの間の撮影モードの切替操作を簡便化することで、検者の負担を軽減させるとともに切替時間を短縮することができる。また、簡単な構成で装置の大型化や装置の操作性を損なうことなく、撮影モードを眼底撮影モードと前眼撮影モードとの間で切り替えることができる。
【００８６】
なお、前眼部観察光学系における前眼合焦部３５は、眼底撮影モードでは、補正レンズ３４を光路Ｌ３上に挿入することで、対物レンズ１００の被検眼側の光学的共役点に合焦する。一方で、前眼合焦部３５は、前眼撮影モードでは、補正レンズ３４を光路Ｌ３上から取り除くことで、眼底撮影モードにおける所定の遠視側屈折異常値Ｄｆを有する被検眼Ｅの眼底Ｅｒと共役な位置に合焦する。これにより、前眼部観察光学系は、撮影モードの切り替えに応じた所望のワーキングディスタンスの変更に対して、前眼部Ｅｆを撮影するために前眼観察光の合焦状態を調整することができる。
【００８７】
＜撮影フロー＞
次に、図５乃至６（ｂ）を参照して、本実施形態に係る撮影処理の流れについて説明する。図５は、本実施形態に係る撮影処理のフローチャートである。図６（ａ）及び（ｂ）は、本実施形態に係る撮影画面の一例を示す。図６（ａ）は眼底撮影モードの撮影画面の一例を示し、図６（ｂ）は前眼撮影モードの撮影画面の一例を示す。
【００８８】
まず、ステップＳ５０１において、検者は操作部１６０を操作することで、表示部１４０に撮影画面（撮影用ＧＵＩ）を表示させる。なお、この際に表示される撮影画面は眼底撮影モード画面６００ａ又は前眼撮影モード画面６００ｂであってもよいし、撮影モード未選択時の別個の撮影画面であってもよい。
【００８９】
ステップＳ５０２では、検者は操作部１６０を操作することで撮影モードを選択する。検者は、撮影画面に設けられている撮影モード選択プルダウン（例えば、図６（ａ）及び（ｂ）に示される撮影モード選択プルダウン６０１）を用いて、眼底撮影モード及び前眼撮影モードのうちから撮影モードを選択することができる。なお、本体操作部１１６に、撮影モードを選択するボタンを設け、検者がＯＣＴ装置１の本体から撮影モードを切り替えてもよい。また、撮影モードを選択するための表示態様はプルダウンに限られず、所望の構成に応じてラジオボタン等の他の表示態様を採用してもよい。
【００９０】
＜眼底撮影モード＞
ステップＳ５０２において眼底撮影モードが選択されると、処理はステップＳ５０３に移行する。ステップＳ５０３では、眼底撮影モードが開始され、表示制御部１５５が、表示部１４０に、図６（ａ）に示されるような眼底撮影モード画面６００ａを表示させる。眼底撮影モード画面６００ａには、撮影モード選択プルダウン６０１が表示され、撮影モード選択プルダウン６０１では眼底撮影モードが選択されている。
【００９１】
また、眼底撮影モード画面６００ａには、アライメント調整用の前眼部正面画像６０３、ＯＣＴスキャンエリア設定用の眼底正面画像６０４、及びＯＣＴスキャンエリアで撮影されたＯＣＴ断層画像のうち代表的なＯＣＴ断層画像６０２が表示される。なお、代表的な断層画像は任意の選択画面を用いて検者によって選択されてもよいし、制御部１５０により所定の設定に応じて選択されてもよい。
【００９２】
さらに、眼底撮影モード画面６００ａには、コヒーレンスゲートスライダ６０５、ＯＣＴフォーカススライダ６０６、ＳＬＯフォーカススライダ６０７、及び撮影ボタン６０８が表示されている。検者が操作部１６０を介してコヒーレンスゲートスライダ６０５を操作すると、制御部１５０の駆動制御部１５２が検者による操作に応じてコーナーキューブリフレクタ４６を移動させ、測定光と参照光路の光路長差を変更する。検者が操作部１６０を介してＯＣＴフォーカススライダ６０６を操作すると、制御部１５０の駆動制御部１５２が検者による操作に応じてＯＣＴフォーカスレンズ１８を移動させ、ＯＣＴ断層画像６０２に係る測定光の合焦状態を変更する。同様に、検者がＳＬＯフォーカススライダ６０７を操作すると、駆動制御部１５２が検者による操作に応じてＳＬＯフォーカスレンズ６８を移動させ、眼底正面画像６０４に係る照明光の合焦状態を変更する。
【００９３】
ステップＳ５０３において、検者が撮影ボタン６０８を操作部１６０のマウス等のポインティングデバイスによりクリックすると、プレ撮影モードが開始される。なお、ステップＳ５０３では、撮影ボタン６０８はＯＣＴプレ撮影ボタンとして表示される。プレ撮影モードは、本番撮影前に撮影条件や撮影位置を設定するための状態であり、検者はこの状態で眼底撮影モード画面６００ａを用いて撮影の準備作業である種々の調整を行うことができる。
【００９４】
プレ撮影モードでは、準備として、制御部１５０は、前眼合焦部３５により補正レンズ３４を光路Ｌ３に挿入し、光路Ｌ３に設けられた前眼観察光学系の撮像ユニット３８をＯＮにし、前眼部正面画像の取得を開始する。また、制御部１５０は、光路Ｌ２に設けられたＳＬＯ光学系のＳＬＯ光源８０をＯＮにし、Ｘポリゴンスキャナ７２とＹガルバノスキャナ７４等の駆動を開始し、ＡＰＤ９４で受光した被検眼Ｅからの戻り光から眼底正面画像６０４の生成を開始する。さらに、制御部１５０は、測定光路Ｌ１に設けられたＯＣＴ光源１０をＯＮにし、Ｘガルバノスキャナ２０とＹガルバノスキャナ２２の駆動を開始し、バランス検出器５６から取得された干渉信号に基づいてＯＣＴ断層画像を生成する。
【００９５】
制御部１５０の画像処理部１５１で生成された各種画像は、眼底撮影モード画面６００ａに表示される。このとき、撮影ボタン６０８は、撮影開始ボタンとの表示に変わり、ＯＣＴ撮影開始ボタンとして作用する。
【００９６】
ステップＳ５０４では、検者は、表示されている前眼部正面画像６０３を確認しながら、操作部１６０を介して、被検眼Ｅに対して光学ヘッド１１０を所望のワーキングディスタンスに調整するとともに光学ヘッド１１０の光軸を被検眼Ｅの瞳中心に調整する。駆動制御部１５２は、検者からの操作に応じてステージ１１２を駆動させることで、光学ヘッド１１０を移動させる。上述のように、調整が正しく行われた場合には、前眼部正面画像６０３がスプリットされていない前眼部正面画像となる。なお、被検眼Ｅに対する光学ヘッド１１０のアライメントは検者が手動で行ってもよいし、制御部１５０が前眼部正面画像６０３の画像を画像処理して位置ずれを認識しながら自動で行ってもよい。なお、検者は本体操作部１１６を用いて光学ヘッド１１０のアライメントを行ってもよい。
【００９７】
次に、ステップＳ５０５では、検者は、ＯＣＴ撮影を行う範囲を、眼底正面画像６０４に基づいて設定する。ＯＣＴ撮影を行う範囲は、眼底正面画像６０４上に表示されるガイド６１１により指定することができる。ガイド６１１は任意のサイズ・形状・位置が設定可能であり、例えば６ｍｍ×６ｍｍの四角形や、直径５ｍｍの円に内接する放射状パターン、１６ｍｍのラインパターン等に設定できる。駆動制御部１５２は、検者によって設定されたガイド６１１に応じてＯＣＴ走査部２３を駆動させ、画像処理部１５１は取得された干渉信号に基づいて断層画像を生成する。眼底撮影モード画面６００ａでは、ガイド６１１により指定されたスキャンエリア内の任意の断層画像が、ＯＣＴ断層画像６０２として表示される。なお、ガイド６１１の設定は、操作部１６０を介して任意の方法で行われてよいし、制御部１５０によって自動で設定されてもよい。
【００９８】
ステップＳ５０６では、検者は、眼底正面画像６０４を見ながら、ＳＬＯフォーカススライダ６０７を操作し、眼底正面画像６０４の輝度が最も高くなるようにＳＬＯフォーカスを調整する。駆動制御部１５２は、検者によるＳＬＯフォーカススライダ６０７の操作に応じて、ＳＬＯ合焦部６９を駆動させ、画像処理部１５１はＡＰＤ９４から取得された信号に基づいて眼底正面画像６０４を生成する。なお、本実施形態においては、ＳＬＯ光学系と固視灯光学系は共通のフォーカス調整機構（ＳＬＯ合焦部６９）を持つため、ＳＬＯフォーカス調整がなされると同時に、固視灯のフォーカスが被検眼Ｅに合うように調整される。
【００９９】
また、本実施形態に係る眼底撮影モードでは、ＳＬＯ合焦部６９（固視灯合焦部）がＯＣＴ合焦部１９と連動してＳＬＯの照明光及び固視灯の合焦状態を変更可能であるように構成されている。そのため、眼底撮影モードでは、ＳＬＯフォーカスを調整すると同時に、ＳＬＯフォーカスの調整に連動してＯＣＴフォーカスも同様のディオプター位置に調整される。このため、ステップＳ５０６において、検者が、ＳＬＯフォーカススライダ６０７を操作すると、ＯＣＴフォーカススライダ６０６も同様に操作されるとともに、駆動制御部１５２が検者の操作に応じて、ＯＣＴ合焦部１９を駆動させる。
【０１００】
さらに、眼底正面画像６０４に重畳されたマーク６１０は、眼底Ｅｒ上の固視灯提示位置を示すために設けられた固視灯マークである。検者は、被検眼Ｅの撮影したい位置を指定するために、マーク６１０を操作部１６０のポインティングデバイスでドラッグし移動させることで、被検眼Ｅの固視位置を調整することができる。駆動制御部１５２は、検者によるマーク６１０の操作に応じて、固視灯用光源６０における固視灯の表示位置を変更することができる。なお、マーク６１０の操作方法はこれに限られず、任意の方法を採用してよい。
【０１０１】
ステップＳ５０７では、検者は、ＯＣＴ断層画像６０２を見ながら、コヒーレンスゲートスライダ６０５を操作し、被検眼Ｅの眼底断層像がＯＣＴ断層画像６０２の表示範囲内に表示されるようにコヒーレンスゲート調整を行う。駆動制御部１５２は、検者によるコヒーレンスゲートスライダ６０５の操作に応じて、コーナーキューブリフレクタ４６を移動させ、コヒーレンスゲート位置を変更する。なお、コヒーレンスゲート調整は、ＯＣＴ断層画像６０２の輝度に基づいて、制御部１５０が自動で行ってもよい。
【０１０２】
ステップＳ５０８では、検者は、ＯＣＴ断層画像６０２を見ながらＯＣＴフォーカススライダ６０６を操作し、ＯＣＴ断層画像６０２の輝度が最も高くなるようにＯＣＴフォーカスを微調整する。駆動制御部１５２は、検者によるＯＣＴフォーカススライダ６０６の操作に応じて、ＯＣＴ合焦部１９を駆動させる。上記のように、本実施形態ではＯＣＴフォーカスはＳＬＯフォーカスと連動するように構成されているが、ステップＳ５０８の処理では、本番撮影の前に、撮影されるべきＯＣＴ断層画像６０２のフォーカスをより精度良く合わせることができる。なお、この際には、ＳＬＯフォーカスとＯＣＴフォーカスの連動が解除されてもよい。
【０１０３】
以上で撮影準備が完了し、処理はステップＳ５２０に移行する。ステップＳ５２０では、検者が操作部１６０を介して、撮影開始ボタンに表示が変わった撮影ボタン６０８を押すことにより、ＯＣＴの本番撮影が実行される。本番撮影が実行されると、記憶部１５４に、ステップＳ５０５〜ステップＳ５０８で調整された撮影範囲、ＳＬＯフォーカス位置（固視灯フォーカス位置）、コヒーレンスゲート位置、及びＯＣＴフォーカス位置といった各調整値が撮影画像と同時に記憶される。
【０１０４】
＜前眼撮影モード＞
一方で、ステップＳ５０２において、前眼撮影モードが選択されると、処理はステップＳ５１１に移行する。ステップＳ５１１では、前眼撮影モードが開始され、表示制御部１５５が、表示部１４０に、図６（ｂ）に示されるような前眼撮影モード画面６００ｂを表示させる。前眼撮影モード画面６００ｂには、撮影モード選択プルダウン６０１が表示され、撮影モード選択プルダウン６０１では前眼撮影モードが選択されている。
【０１０５】
また、前眼撮影モード画面６００ｂには、アライメント調整用とＯＣＴスキャンエリア設定用の前眼部正面画像６０３、及び固視灯設定用の眼底正面画像６０４が表示される。さらに、前眼撮影モード画面６００ｂには、ＯＣＴスキャンエリアで撮影されたＯＣＴ断層画像のうち代表的なＯＣＴ断層画像６０２が表示される。なお、代表的な断層画像は任意の選択画面を用いて検者によって選択されてもよいし、制御部１５０により所定の設定に応じて選択されてもよい。
【０１０６】
さらに、前眼撮影モード画面６００ｂには、ＳＬＯフォーカススライダ６０７及び撮影ボタン６０８が表示されている。ＳＬＯフォーカススライダ６０７及び撮影ボタン６０８は、眼底撮影モード画面６００ａにおけるＳＬＯフォーカススライダ６０７及び撮影ボタン６０８と同様のものであるため説明を省略する。
【０１０７】
ステップＳ５１１において、検者が撮影ボタン６０８を操作部１６０のマウス等のポインティングデバイスでクリックするとプレ撮影モードが開始される。なお、ステップＳ５１１では、撮影ボタン６０８はＯＣＴプレ撮影ボタンとして表示される。プレ撮影モードは、本番撮影前に撮影条件や撮影位置を設定するための状態であり、操作者はこの状態で前眼撮影モード画面６００ｂを用いて撮影の準備作業である種々の調整を行う。
【０１０８】
プレ撮影モードでは、準備として、制御部１５０の駆動制御部１５２は、ＯＣＴフォーカスレンズ１８とコーナーキューブリフレクタ４６を所定の位置に固定する。ここで、ＯＣＴフォーカスレンズ１８が固定される所定の位置は、上述した前眼撮影時の遠視側屈折異常値Ｄｆに対応した位置である。これにより、測定光の合焦状態は、眼底撮影モードにおいて所定の遠視側屈折異常値を有する被検眼Ｅの眼底Ｅｒに測定光を合焦させる場合の合焦状態にされることとなる。
【０１０９】
また、制御部１５０の駆動制御部１５２は、前眼合焦部３５を駆動して光路Ｌ３から前眼部観察光学系の補正レンズ３４を取り除き、撮像ユニット３８をＯＮにし、前眼部正面画像６０３の取得を開始する。さらに、制御部１５０は、光路Ｌ２に設けられたＳＬＯ光学系のＳＬＯ光源８０をＯＮにし、Ｘポリゴンスキャナ７２とＹガルバノスキャナ７４等の駆動を開始し、ＡＰＤ９４で受光した被検眼Ｅからの戻り光から眼底正面画像６０４の生成を開始する。また、制御部１５０は、測定光路Ｌ１に設けられたＯＣＴ光源１０をＯＮにし、Ｘガルバノスキャナ２０とＹガルバノスキャナ２２の駆動を開始し、バランス検出器５６から取得された干渉信号に基づいてＯＣＴ断層画像を生成する。
【０１１０】
制御部１５０の画像処理部１５１で生成された各種画像は、前眼撮影モード画面６００ｂに表示される。このとき、撮影ボタン６０８は、撮影開始ボタンと表示が変わり、ＯＣＴ撮影開始ボタンとして作用する。
【０１１１】
ステップＳ５１２では、検者は、表示されている前眼部正面画像６０３を確認しながら、操作部１６０を介して、被検眼Ｅに対して光学ヘッド１１０を所望のワーキングディスタンスに調整するとともに光学ヘッド１１０の光軸を被検眼Ｅの瞳中心に調整する。駆動制御部１５２は、検者からの操作に応じてステージ１１２を駆動させることで、光学ヘッド１１０を移動させる。当該処理は、ステップＳ５０４と同様であるため説明を省略する。
【０１１２】
次に、ステップＳ５１３では、検者は、ＯＣＴ撮影を行う範囲を、前眼部正面画像６０３に基づいて設定する。ＯＣＴ撮影を行う範囲は、前眼部正面画像６０３上に表示されるガイド６１２により指定することができる。ガイド６１２は任意のサイズ・形状・位置が設定可能であり、例えば１５ｍｍ×１０ｍｍの四角形等に設定できる。駆動制御部１５２は、検者によって設定されたガイド６１２に応じてＯＣＴ走査部２３を駆動させ、画像処理部１５１は取得された干渉信号に基づいて断層画像を生成する。前眼撮影モード画面６００ｂでは、ガイド６１２により指定されたスキャンエリア内の任意の断層画像が、ＯＣＴ断層画像６０２として表示される。なお、ガイド６１２の設定は、操作部１６０を介して任意の方法で行われてよいし、制御部１５０によって自動で設定されてもよい。
【０１１３】
ステップＳ５１４では、検者は眼底正面画像６０４を見ながら、ＳＬＯフォーカススライダ６０７を操作し、眼底正面画像６０４の輝度が最も高くなるようにＳＬＯフォーカスを調整する。駆動制御部１５２は、検者によるＳＬＯフォーカススライダ６０７の操作に応じて、ＳＬＯ合焦部６９を駆動させ、画像処理部１５１はＡＰＤ９４から取得された信号に基づいて眼底正面画像６０４を生成する。また、上述のように、ＳＬＯ光学系と固視灯光学系は共通のフォーカス調整機構（ＳＬＯ合焦部６９）を持つため、ＳＬＯフォーカス調整がなされると同時に、固視灯のピントが被検眼Ｅに合うように調整される。
【０１１４】
なお、前眼撮影モードでは、眼底撮影モードと異なり、ＯＣＴ合焦部１９はＳＬＯ合焦部６９（固視灯合焦部）の調整に連動せず、ＯＣＴフォーカスレンズ１８はステップＳ５１１で固定された所定の位置に留まる。言い換えると、ＳＬＯ合焦部６９（固視灯合焦部）は、ＯＣＴ合焦部１９とは独立してＳＬＯの照明光及び固視灯の合焦状態を変更可能である。また、眼底正面画像６０４に重畳されたマーク６１０は、ステップＳ５０６で説明したマーク６１０と同様のものであるため説明を省略する。
【０１１５】
ステップＳ５１５では、前眼撮影モード画面６００ｂのＯＣＴフォーカススライダ６０６を操作できるようになる。なお、ＯＣＴフォーカススライダ６０６は、眼底撮影モード画面６００ａにおけるＯＣＴフォーカススライダ６０６と同様のものであるため説明を省略する。検者は、ＯＣＴ断層画像６０２を見ながら、ＯＣＴフォーカススライダ６０６を操作し、ＯＣＴ断層画像６０２輝度が最も高くなるようにＯＣＴフォーカスを微調整する。駆動制御部１５２は、検者によるＯＣＴフォーカススライダ６０６の操作に応じて、ＯＣＴ合焦部１９を駆動させる。
【０１１６】
以上で撮影準備が完了し、処理はステップＳ５２０に移行する。ステップＳ５２０では、検者が操作部１６０を介して、撮影開始ボタンに表示が変わった撮影ボタン６０８を押すことにより、ＯＣＴの本番撮影が実行される。本番撮影が実行されると、記憶部１５４に、ステップＳ５１３〜ステップＳ５１５で調整された撮影範囲、ＳＬＯフォーカス位置（固視灯フォーカス位置）、及びＯＣＴフォーカス位置といった各調整値が撮影画像と同時に記憶される。
【０１１７】
ステップＳ５２０において、全ての撮影画像及び各調整値が記憶部１５４に記憶されると処理はステップＳ５２１に移行する。ステップＳ５２１では、制御部１５０が、本番撮影後に検者によって撮影モード選択プルダウン６０１が操作されたか否かを判断し、操作された場合には、処理をステップＳ５０２に移行する。一方で、撮影モード選択プルダウン６０１が操作されなかった場合には、制御部１５０は一連の撮影処理を終了する。
【０１１８】
次に、ステップＳ５２１において、撮影モード選択プルダウン６０１が操作されたと判断され、撮影モードが切り替えられた場合の処理について説明する。この場合には、処理がステップＳ５０２に移行し、ステップＳ５０２では撮影モード選択プルダウン６０１において選択された撮影モードに応じて、処理をステップＳ５０３又はステップＳ５１１に移行させる。
【０１１９】
撮影モードを切り替える際には、切り替えられる前の撮影モードにおいて調整されたステージ１１２の位置に基づいて、切り替えられた後の撮影モードにおけるステージ１１２の位置を設定することができる。具体的には、眼底撮影モードと前眼撮影モードとの間でのＺ方向のステージ１１２の調整量は、図４（ａ）及び（ｂ）に示されるワーキングディスタンスＷＤ（ａ）とワーキングディスタンスＷＤ（ｂ）との差分になる。
【０１２０】
ここで、前眼撮影モードの場合、ワーキングディスタンスＷＤ（ａ）は、対物レンズ１００の焦点距離と等しくなる。これは、ＯＣＴフォーカスレンズ１８の前眼撮影における遠視側屈折異常値Ｄｆの逆数と等しく、下記式９で表すことができる。
ＷＤ（ａ）［ｍｍ］＝１０００／Ｄｆ［ｍ］  （式９）
そのため、式９及び前眼撮影時のＯＣＴフォーカスの遠視側屈折異常値Ｄｆより、撮影モードの切り替え時におけるステージ１１２の調整量は、略１０００／Ｄｆ−ＷＤ（ｂ）となる。ここで、ＷＤ（ｂ）は１０００／Ｄｆに対して無視できるため、調整量は、略１０００／Ｄｆとすることができる。
【０１２１】
このため、撮影モードが眼底撮影モードから前眼撮影モードに切り替えられた場合には、駆動制御部１５２は、略１０００／Ｄｆだけ被検眼Ｅと光学ヘッド１１０の距離を遠ざけるようにステージ１１２を駆動させる。これにより、ステップＳ５１２における被検眼Ｅに対する光学ヘッド１１０のＺ方向のアライメントを省略することができる。同様に、撮影モードが前眼撮影モードから眼底撮影モードに切り替えられた場合には、駆動制御部１５２は、略１０００／Ｄｆだけ被検眼Ｅと光学ヘッド１１０の距離を近づけるようにステージ１１２を駆動させる。これにより、ステップＳ５０４における被検眼Ｅに対する光学ヘッド１１０のＺ方向のアライメントを省略することができる。そのため、一連の撮影時間を短縮することができ、患者の負担を軽減することができる。
【０１２２】
また、制御部１５０は、切り替えられる前の撮影モードにおいて調整されたＳＬＯフォーカス位置（固視灯フォーカス位置）を変更せずに、そのまま、切り替えられた後の撮影モードにおけるＳＬＯフォーカス位置（固視灯フォーカス位置）としてもよい。
【０１２３】
具体的には、撮影モードが眼底撮影モードから前眼撮影モードに切り替えられた場合に、眼底撮影モードにおいて調整された固視灯フォーカス位置を変更せずにそのまま前眼撮影モードにおける固視灯フォーカス位置として用いることができる。この場合、ステップＳ５１４における固視灯のフォーカス調整を省略できる。同様に、撮影モードが前眼撮影モードから眼底撮影モードに切り替えられた場合にも、前眼撮影モードで調整された固視灯フォーカス位置を変更せずにそのまま眼底撮影モードにおける固視灯フォーカス位置として用いることができる。なお、本実施形態では、上述のようにＳＬＯ光学系と固視灯光学系において合焦部（ＳＬＯ合焦部６９）が共有されている。そのため、この場合には、ステップＳ５０６におけるＳＬＯフォーカス位置及び固視灯フォーカス位置の調整を省略できる。
【０１２４】
これらの場合、撮影モードを切り替えても固視を安定させることができるとともに、一連の撮影時間を短縮することができ、患者の負担を軽減することができる。なお、前眼撮影モードにおいて、眼底正面画像６０４は固視灯のフォーカス調整をするために用いられるため、固視灯のフォーカス位置をあらかじめ眼底撮影で調整している場合には、前眼撮影モード画面６００ｂに眼底正面画像６０４を表示させなくてもよい。
【０１２５】
上記のように、本実施形態に係るＯＣＴ装置１は、光を射出するＯＣＴ光源１０と、ＯＣＴ光源１０が出射した光を測定光と参照光に分割するカプラ１２を備える。また、ＯＣＴ装置１は、被検眼Ｅに対する測定光の合焦状態を変更するＯＣＴ合焦部１９を有し、測定光を被検眼Ｅに投影するＯＣＴ光学系を備える。さらに、ＯＣＴ装置１は、被検眼Ｅからの測定光の戻り光と参照光との干渉光に基づく干渉信号を用いて被検眼Ｅの断層画像を生成する制御部１５０を備える。制御部１５０は、被検眼Ｅを撮影するための撮影モードを、被検眼Ｅの眼底Ｅｒを撮影する眼底撮影モードと被検眼Ｅの前眼部Ｅｆを撮影する前眼撮影モードとで切り替えるモード切替部１５３を含む。ＯＣＴ合焦部１９は、眼底撮影モードにおいて、所定の範囲内の屈折異常値を有する被検眼Ｅの眼底Ｅｒに前記測定光を合焦可能である。また、ＯＣＴ合焦部１９は、前眼撮影モードでは、測定光の合焦状態を、眼底撮影モードにおいて所定の範囲内の所定の遠視側屈折異常値を有する被検眼Ｅの眼底Ｅｒに測定光を合焦させる場合の合焦状態にする。
【０１２６】
特に、本実施形態では所定の遠視側屈折異常値をＤ［ディオプター］とした場合、所定の遠視側屈折異常値は２０＜Ｄ＜７５を満たす値である。また、撮影モードは、測定光学系に追加の光学系を加えることなく切り替えられる。
【０１２７】
このような構成を有するため、本実施形態に係るＯＣＴ装置１は、従来のＯＣＴ装置で必要とされていた測定光の焦点位置を移動させる光学系をＯＣＴ装置１へ着脱することなく、眼底Ｅｒと前眼部Ｅｆの撮影を切り替えることができる。そのため、眼底撮影モードと前眼撮影モードの間の撮影モードの切替操作を簡便化することで、検者の負担を軽減させるとともに切替時間を短縮することができる。また、簡単な構成で装置の大型化や装置の操作性を損なうことなく、撮影モードを眼底撮影モードと前眼撮影モードとの間で切り替えることができる。
【０１２８】
また、ＯＣＴ装置１は、ＯＣＴ光学系をＯＣＴ光学系の光軸方向に移動させるステージ１１２を更に備える。ステージ１１２は、撮影モードが眼底撮影モードから前眼撮影モードへ切り替えられた場合、ＯＣＴ光学系の光軸方向において被検眼Ｅより所定量遠ざける方向にＯＣＴ光学系を移動させる。また、ステージ１１２は、撮影モードが前眼撮影モードから眼底撮影モードへ切り替えられた場合、ＯＣＴ光学系の光軸方向において被検眼Ｅより所定量近づける方向にＯＣＴ光学系を移動させる。ここで、所定の遠視側屈折異常値をＤ［ディオプター］とし、眼底撮影モードにおける被検眼ＥとＯＣＴ光学系との間のワーキングディスタンスをＷＤとした場合、ＯＣＴ光学系を移動させる所定量は略１０００／Ｄ−ＷＤ［ｍｍ］である。このような構成によれば、ＯＣＴ装置１は、撮影モードの切り替え時における被検眼とＯＣＴ装置１の位置合わせを簡略化することができるため、一連の撮影時間を短縮することができ、患者の負担を軽減することができる。
【０１２９】
なお、本実施形態では、記憶部１５４は、プレ撮影モードにおいて最初に設定されるＯＣＴフォーカスレンズ１８等の所定位置を記憶するとともに、本番撮影時のＯＣＴフォーカスレンズ１８の位置等の調整値を記憶する。そのため、経過観察等において、前回の撮影時の調整値を用いて新たな撮影を行うことができる。
【０１３０】
例えば、記憶部１５４は、モード切替部１５３が撮影モードを眼底撮影モードから前眼撮影モードに切り替える場合に、眼底撮影時のＯＣＴフォーカスレンズ１８の位置を記憶している。そのため、制御部１５０は、モード切替部１５３が撮影モードを眼底撮影モードに切り替える場合に、ＯＣＴフォーカスレンズ１８を、記憶部１５４に記憶された所定位置又は眼底撮影時のＯＣＴフォーカスレンズ１８の位置へ移動することができる。
【０１３１】
これにより、本実施形態によるＯＣＴ装置１は、被検眼Ｅの経過観察において、撮影条件の設定を簡便化することができる。そのため、ＯＣＴ装置１は、被検眼のＥの経過観察において、新たな撮影にかかる撮影時間を短縮し、患者の負担を軽減することができる。
【０１３２】
また、本実施形態では、ＯＣＴ装置１の干渉光学系としてマッハツェンダー型干渉計の構成を用いているが、干渉光学系の構成はこれに限られない。例えば、ＯＣＴ装置１の干渉光学系はマイケルソン干渉計の構成を有していてもよい。
【０１３３】
さらに、本実施形態では、ＯＣＴ装置１として、出射光の波長を掃引することができる波長掃引光源を用いた波長掃引型ＯＣＴ（ＳＳ−ＯＣＴ）装置について述べたが、本発明によるＯＣＴ装置の構成はこれに限られない。例えば、ＳＬＤを光源として用いたスペクトラルドメインＯＣＴ（ＳＤ−ＯＣＴ）装置等の他の任意の種類のＯＣＴ装置にも本発明を適用することができる。
【０１３４】
さらに、分割手段としてカプラを使用したファイバ光学系を用いているが、コリメータとビームスプリッタを使用した空間光学系を用いてもよい。また、光学ヘッド１１０に含まれる構成は、上記の構成に限られず、光学ヘッド１１０に含まれる構成の一部を光学ヘッド１１０とは別体に配置してもよい。
【０１３５】
また、撮影画面及び撮影画面に表示される各スライダ等の表示形態は上述の表示形態に限られず、任意に設定されてよい。例えば、コヒーレンスゲート、ＯＣＴフォーカス、及びＳＬＯフォーカスを調整するための表示形態はスライダに限られず、例えば調整ボタンやダイヤル等の表示形態であってもよい。
【０１３６】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１３７】
以上、実施形態を参照して本発明について説明したが、本発明は上記実施形態に限定されるものではない。本発明の趣旨に反しない範囲で変更された発明、及び本発明と均等な発明も本発明に含まれる。また、上述の各実施形態は、本発明の趣旨に反しない範囲で適宜組み合わせることができる。
【符号の説明】
【０１３８】
１：ＯＣＴ装置（光干渉断層撮影装置）、１０：光源、１２：カプラ（光分割器）、１９：ＯＣＴ合焦部、１５０：制御部、１５３：モード切替部、Ｅ：被検眼
【図１】
2020168266.tif 000003
【図２】
2020168266.tif 000004
【図３】
2020168266.tif 000005
【図４】
2020168266.tif 000006
【図５】
2020168266.tif 000007
【図６】
2020168266.tif 000008